(57)【要約】【課題】  互いに連係して動作する２つの機器の接続を互いに検出する接続検出装置において、２つの機器で共有される１本の信号線のみを用いた簡単な機構で、接続の有無を迅速に検出する接続検出装置を提供することである。【解決手段】  第１の検出部１６は、第１の機器１０２に設けられ、第１接続ノード２０の電圧に応じて、第１の機器１０２と第２の機器１０４との接続を検出する。第２の検出部３０は、第２の機器１０４に設けられ、第２接続ノード３４の電圧に応じて、第１の機器１０２と第２の機器１０４との接続を検出する。【選択図】      図１
2006171627.tif 000002
【特許請求の範囲】
【請求項１】
第１の機器に設けられ、第１電圧線と第２電圧線との間に直列に接続された第１の抵抗及び第２の抵抗と、
前記第１の機器に設けられ、前記第１の抵抗及び前記第２の抵抗を互いに接続する第１接続ノードに接続され、接続線を介して第２の機器と接続される第１接続端子と、
前記第１の機器に設けられ、前記第１接続ノードの電圧に応じて、前記第１の機器と前記第２の機器との接続を検出する第１の検出部と、
前記第２の機器に設けられ、第３電圧線と第４電圧線との間に直列に接続された第３及び第４の抵抗と、
前記第２の機器に設けられ、前記第３の抵抗及び前記第４の抵抗を互いに接続する第２接続ノードに接続され、前記接続線を介して前記第１接続端子と接続される第２接続端子と、
前記第２の機器に設けられ、前記第２接続ノードの電圧に応じて、前記第１の機器と前記第２の機器との接続を検出する第２の検出部とを備えることを特徴とする接続検出装置。
【請求項２】
請求項１記載の接続検出装置において、
前記第１の機器に設けられ、前記第１及び第２電圧線に第１及び第２の電圧をそれぞれ設定する第１の電源供給部と、
前記第２の機器に設けられ、前記第３及び第４電圧線に第３及び第４の電圧をそれぞれ設定する第２の電源供給部とを備えることを特徴とする接続検出装置。
【請求項３】
請求項２記載の接続検出装置において、
前記第１及び第３の電圧は互いに等しく、前記第２及び第４の電圧は互いに等しいことを特徴とする接続検出装置。
【請求項４】
請求項１記載の接続検出装置において、
前記第１の機器に設けられ、前記第１電圧線に接続された第１の出力ポートを有する第１のマイクロコンピュータと、
前記第２の機器に設けられ、前記第３電圧線に接続された第２の出力ポートを有する第２のマイクロコンピュータとを備え、
前記第１のマイクロコンピュータは、前記第１の出力ポートに前記第２の機器との接続を検出する時のみ第１の電圧を出力し、
前記第２のマイクロコンピュータは、前記第２の出力ポートに前記第１の機器との接続を検出する時のみ第２の電圧を出力し、
前記第２電圧線及び前記第４電圧線の電圧は、固定されていることを特徴とする接続検出装置。
【請求項５】
請求項４記載の接続検出装置において、
前記第１のマイクロコンピュータは、前記第２の機器との接続を検出する時を除き、前記第１電圧線をフローティング状態にするために前記第１の出力ポートから前記第１の電圧を出力することを停止し、
前記第２のマイクロコンピュータは、前記第１の機器との接続を検出する時を除き、前記第３電圧線をフローティング状態にするために前記第２の出力ポートから前記第２の電圧を出力することを停止することを特徴とする接続検出装置。
【請求項６】
請求項４記載の接続検出装置において、
前記第１のマイクロコンピュータは、前記第２の機器との接続を検出する時を除き、前記第１の出力ポートから前記第２電圧線の電圧に等しい電圧を出力し、
前記第２のマイクロコンピュータは、前記第１の機器との接続を検出する時を除き、前記第２の出力ポートから前記第４電圧線の電圧に等しい電圧を出力することを特徴とする接続検出装置。
【請求項７】
請求項１記載の接続検出装置において、
前記第１の検出部は、前記第１接続ノードに接続され、前記第１接続ノードの電圧をアナログ量からデジタル量に変換する第１のＡ／Ｄ変換器を備え、
前記第２の検出部は、前記第２接続ノードに接続され、前記第２接続ノードの電圧をアナログ量からデジタル量に変換する第２のＡ／Ｄ変換器を備えることを特徴とする接続検出装置。
【請求項８】
請求項７記載の接続検出装置において、
前記第１の機器に設けられた第１のマイクロコンピュータと、
前記第２の機器に設けられた第２のマイクロコンピュータとを備え、
前記第１のＡ／Ｄ変換器は、前記第１のマイクロコンピュータに内蔵され、前記第２のＡ／Ｄ変換器は、前記第２のマイクロコンピュータに内蔵されることを特徴とする接続検出装置。
【発明の詳細な説明】
【技術分野】
【０００１】
本発明は、互いに連係して動作する２つの機器が互いに接続されたことを検出する接続検出装置に関する。
【背景技術】
【０００２】
例えば、カメラ本体と外部閃光発光装置との接続を互いに検出する接続検出装置は、内部閃光発光装置及び閃光発光制御装置が内蔵されたカメラ本体、カメラ外部に取り付けられた外部閃光発光装置等を有している（例えば、特許文献１）。この種の接続検出装置では、閃光発光制御装置は、外部閃光発光装置がカメラ本体に接続されたか否かを検出する。この時、閃光発光制御装置は、カメラ本体と外部閃光発光装置との接続を検出すると、外部閃光発光装置による被写体への発光を許可し、内部閃光発光装置による被写体への発光を禁止する。一方、閃光発光制御装置は、カメラ本体と外部閃光発光装置との接続が検出されないと、内部閃光発光装置に対してのみ被写体への発光を許可する。
【特許文献１】特開２０００−２３１１４５号公報
【発明の開示】
【発明が解決しようとする課題】
【０００３】
しかしながら、上述した接続検出装置では、閃光発光制御装置の起動直後に、カメラ本体のシャッターボタンが押下げられる（ユーザが被写体を撮影する）場合、閃光発光制御装置は、被写体への光の照射に使用する閃光発光装置を決めるために、短時間でカメラ本体と外部閃光発光装置との接続の有無を検出しなくてはならない。よって、カメラ本体と外部閃光発光装置との接続を迅速に検出するために、カメラ本体と外部閃光発光装置との接続を検出するための専用の信号線が必要になる。また例えば、外部閃光発光装置がカメラ本体との接続を検出する必要がある場合も上述と同様に、外部閃光発光装置とカメラ本体との接続を迅速に検出するために、外部閃光発光装置とカメラ本体との接続を検出するための専用の信号線が別に必要になる。このため、カメラ本体及び外部閃光発光装置が互いに接続されたことを検出するための信号線が計２本必要となる。
【０００４】
本発明の目的は、互いに連係して動作する２つの機器の接続を互いに検出する接続検出装置において、２つの機器で共有される１本の信号線のみを用いた簡単な機構で、接続の有無を迅速に検出する接続検出装置を提供することである。
【課題を解決するための手段】
【０００５】
請求項１記載の接続検出装置では、第１及び第２の抵抗は、第１の機器に設けられ、第１電圧線と第２電圧線の間に直列に接続される。第１接続端子は、第１の機器に設けられ、第１の抵抗及び第２の抵抗を互いに接続する第１接続ノードに接続され、接続線を介して第２の機器と接続される。第１の検出部は、第１の機器に設けられ、第１接続ノードの電圧に応じて、第１の機器と第２の機器との接続を検出する。第３及び第４の抵抗は、第２の機器に設けられ、第３電圧線と第４電圧線との間に直列に接続される。第２接続端子は、第２の機器に設けられ、第３及び第４の抵抗を互いに接続する第２接続ノードに接続され、接続線を介して第１接続端子と接続される。第２の検出部は、第２の機器に設けられ、第２接続ノードの電圧に応じて、第１の機器と第２の機器との接続を検出する。
【０００６】
請求項２記載の接続検出装置では、第１の電源供給部は、第１の機器に設けられ、第１及び第２電圧線に第１及び第２の電圧をそれぞれ設定する。第２の電源供給部は、第２の機器に設けられ、第３及び第４電圧線に第３及び第４の電圧をそれぞれ設定する。
請求項３記載の接続検出装置では、第１及び第３の電圧は互いに等しく、第２及び第４の電圧は互いに等しい電圧である。
【０００７】
請求項４記載の接続検出装置では、第１のマイクロコンピュータは、第１の機器に設けられ、第１電圧線に接続された第１の出力ポートを有する。第２のマイクロコンピュータは、第２の機器に設けられ、第３電圧線に接続された第２の出力ポートを有する。第１のマイクロコンピュータは、第１の出力ポートに第２の機器との接続を検出する時のみ第１の電圧を出力する。第２のマイクロコンピュータは、第２の出力ポートに第１の機器との接続を検出する時のみ第２の電圧を出力する。第２電圧線及び第４電圧線の電圧は、固定されている。
【０００８】
請求項５記載の接続検出装置では、第１のマイクロコンピュータは、第２の機器との接続を検出する時を除き、第１電圧線をフローティング状態にするために第１の出力ポートから第１の電圧を出力することを停止する。第２のマイクロコンピュータは、第１の機器との接続を検出する時を除き、第３電圧線をフローティング状態にするために第２の出力ポートから前記第２の電圧を出力することを停止する。
【０００９】
請求項６記載の接続検出装置では、第１のマイクロコンピュータは、第２の機器との接続を検出する時を除き、第１の出力ポートから第２電圧線の電圧に等しい電圧を出力する。第２のマイクロコンピュータは、第１の機器との接続を検出する時を除き、第２の出力ポートから第４電圧線の電圧に等しい電圧を出力する。
請求項７記載の接続検出装置では、第１の検出部は、第１接続ノードに接続され、前記第１接続ノードの電圧をアナログ量からデジタル量に変換する第１のＡ／Ｄ変換器を備える。第２の検出部は、第２接続ノードに接続され、第２接続ノードの電圧をアナログ量からデジタル量に変換する第２のＡ／Ｄ変換器を備える。
【００１０】
請求項８記載の接続検出装置では、第１のマイクロコンピュータは、第１の機器に設けられる。第２のマイクロコンピュータは、第２の機器に設けられる。第１のＡ／Ｄ変換器は、第１のマイクロコンピュータに内蔵される。第２のＡ／Ｄ変換器は、第２のマイクロコンピュータに内蔵される。
【発明の効果】
【００１１】
請求項１の接続検出装置では、第１の検出部は、接続線を介して第２の機器に接続された第１接続ノードの電圧の変化に応じて、第１の機器に第２の機器が接続されたことを検出する。一方、第２の検出部は、上述した接続線を介して第１接続ノードに接続された第２接続ノードの電圧の変化に応じて、第２の機器に第１の機器が接続されたことを検出する。すなわち、第１及び第２の機器間に配線される一本の接続線のみを用いて、第１及び第２の機器の双方において、第１の機器と第２の機器との接続が検出される。したがって、第１の機器と第２の機器との接続を検出するための機構を簡素化できる。接続検出装置を製造するための製造工数及び部品点数を削減できるため、接続検出装置の製造コストを削減できる。
【００１２】
請求項２の接続検出装置では、第１の電源供給部により第１及び第２の電圧線の少なくともいずれかを外部電源電圧と異なる電圧に設定することが可能になる。例えば、第１電圧線を外部電源電圧より低い値に設定し、第２電圧線を接地電圧に設定することで、外部電源電圧及び接地電圧を第１及び第２の電圧線に供給する場合に比べて、第１及び第２の電圧線の電圧差を小さくできる。このため、第１及び第２の抵抗に流れる電流を小さくできる。よって、第１及び第２の抵抗で消費される電力を小さくできる。第２の電源供給部においても、上述した第１の電源供給部と同様に、第３及び第４の電圧線の少なくともいずれかを外部電源電圧と異なる電圧に設定することで、第３及び第４の抵抗に流れる電流を小さくできる。よって、第３及び第４の抵抗で消費される電力を小さくできる。この結果、装置全体で消費される電力を小さくできる。
【００１３】
請求項３の接続検出装置では、第１及び第２の電圧が、第３及び第４の電圧にそれぞれ等しく設定されるため、第１及び第２の電圧が、第３及び第４の電圧とそれぞれ異なる場合に比べて、簡単な計算式で第１及び第２接続ノードの電圧を求めることができる。このため、第１及び第２接続ノードの電圧を検出するための第１〜第４抵抗の抵抗値を容易に設計できる。
【００１４】
請求項４の接続検出装置では、第１のマイクロコンピュータにより、第１及び第２の機器の接続を検出する時だけ第１の出力ポートから所定の電圧が出力される。このため、第１の機器で消費される電力を小さくできる。第２のマイクロコンピュータにより、第１及び第２の機器の接続を検出する時だけ第２の出力ポートから所定の電圧が出力される。このため、第２の機器で消費される電力を小さくできる。この結果、装置全体で消費される電力を小さくできる。
【００１５】
請求項５の接続検出装置では、第１及び第３電圧線は、第１及び第２の機器との接続を検出する時以外は、フローティング状態に設定される。このため、接続を検出する時以外は、第１〜第４の抵抗に電流が流れない。この結果、装置全体で消費される電力を０にできる。
請求項６の接続検出装置では、第１及び第２電圧、第３及び第４電圧は、第１及び第２の機器との接続を検出する時以外は、それぞれ互いに等しくなるように設定される。このため、接続を検出する時以外は、第１〜第４の抵抗に電流が流れない。この結果、装置全体で消費される電力を０にできる。
【００１６】
請求項７の接続検出装置では、第１及び第２接続ノードで検出される電圧は、第１及び第２のＡ／Ｄ変換器によりそれぞれＡ／Ｄ変換される。第１及び第２接続ノードで検出された電圧を、デジタル値として取得することで、第１及び第２接続ノードの電圧を正確に検出できる。このため、第１の検出部は、第１及び第２の機器が接続された時の電圧及び、第１及び第２の機器が接続されない時の電圧を正確に比較できる。一方、第２の検出部は、第１及び第２の機器が接続された時の電圧及び、第１及び第２の機器が接続されない時の電圧を正確に比較できる。この結果、第１及び第２の機器の接続を確実に検出できる。
【００１７】
請求項８の接続検出装置では、第１及び第２のＡ／Ｄ変換器は、第１及び第２のマイクロコンピュータにそれぞれ内蔵される。このため、第１及び第２のＡ／Ｄ変換器を独立に設ける必要がない。よって、接続検出装置を簡易に構成できるため、接続検出装置の製造コストを削減できる。
【発明を実施するための最良の形態】
【００１８】
以下、本発明の実施形態を図面を用いて説明する。
図１は、本発明の接続検出装置の第１の実施形態を示している。図１（ａ）は、接続検出装置の正面（前面）を示している。図１（ｂ）は、接続検出装置１００の左側面を示している。図１（ａ）及び図１（ｂ）において、接続検出装置１００は、デジタルカメラシステムのカメラ本体１０８に取り付けられる閃光発光制御装置１０２（第１の機器）、閃光発光装置１０４（第２の機器）と、閃光発光制御装置１０２と閃光発光装置１０４とを互いに接続するケーブル１０６を有している。
【００１９】
閃光発光制御装置１０２は、カメラ本体１０８から出力される制御信号を受け取り、閃光発光装置１０４の発光動作を制御するために、カメラ本体１０８の上部のアクセサリーシューに着脱自在に取り付けられる。閃光発光制御装置１０２は、図示しない液晶パネル及び液晶パネルの駆動用ドライバ回路等を有している。
閃光発光制御装置１０２の液晶パネルは、閃光発光制御装置１０２の背面に配置されている。閃光発光制御装置１０２の液晶パネルに表示される画面は、後述する接続検出装置１００の動作モード毎に切り換えられる。閃光発光制御装置１０２は、ケーブル１０６を介して閃光発光装置１０４が接続されたか否かを検出する機能を有している。
【００２０】
閃光発光装置１０４は、被写体までの距離が短い場合（例えば、０．２〜１ｍ程度）に用いられる接写用のマクロストロボである。このため、閃光発光装置１０４は、カメラ本体１０８の撮影レンズの先端部に着脱自在に取り付けられるための環状の取り付け部１０４ａと、取り付け部１０４ａから横方向に突出する２つの閃光発光部１０４ｂ、１０４ｃとを有している。
【００２１】
図１（ｂ）において、閃光発光部１０４ｃは、閃光光量を調整するための設定部を有している。閃光発光装置１０４は、閃光発光制御装置１０２と同様に、ケーブル１０６を介して閃光発光制御装置１０２が接続されたか否かを検出する機能を有している。
接続検出装置１００は、閃光発光制御装置１０２で受けたカメラ本体１０８からの制御信号をケーブル１０６を介して閃光発光装置１０４に有線送信する第１モード、及び閃光発光制御装置１０２で受けたカメラ本体１０８からの制御信号を閃光発光装置１０４に無線送信する第２モードを有している。
【００２２】
閃光発光制御装置１０２に閃光発光装置１０４が接続されたことが検出される場合、接続検出装置１００は第１モードで動作する。一方、閃光発光制御装置１０２に閃光発光装置１０４が接続されていないことが検出される場合、接続検出装置１００は第２モードで動作する。
図２は、図１の接続検出装置１００の詳細を示している。閃光発光制御装置１０２は、マイクロコンピュータ１０（第１の検出部）、抵抗Ｒ１（第１の抵抗）、抵抗Ｒ２（第２の抵抗）及び図示しない液晶パネル用照明回路等を有している。マイクロコンピュータ１０は、Ａ／Ｄ変換器１２（第１のＡ／Ｄ変換器）、Ｉ／Ｏポート１４（第１の出力ポート）、ＣＰＵ１６、図示しないＲＯＭ及びＲＡＭ等を有している。
【００２３】
Ａ／Ｄ変換器１２は、閃光発光制御装置１０２に閃光発光装置１０４が接続されたか否かを検出するために、接続ノード１８に接続される。Ａ／Ｄ変換器１２は、接続ノード１８の電圧値をＡ／Ｄ変換し、Ａ／Ｄ変換した電圧値データをＣＰＵ１６に出力する。
Ｉ／Ｏポート１４は、ＣＰＵ１６によって制御され、閃光発光制御装置１０２に閃光発光装置１０４が接続されたか否かを検出する時だけ、抵抗Ｒ１の一端に電源電圧Ｖcc１（例えば、５.０Ｖ）を出力する。Ｉ／Ｏポート１４は、閃光発光制御装置１０２に閃光発光装置１０４が接続されたか否かを検出しない時には、抵抗Ｒ１の一端をフローティング状態（Ｈiz）にするために、抵抗Ｒ１の一端への電源電圧Ｖcc１の出力を停止する。
【００２４】
ＣＰＵ１６は、ＲＯＭに格納されたプログラムを実行することによって、マイクロコンピュータ１０内のＡ／Ｄ変換器１２やＩ／Ｏポート１４等の各周辺回路及び閃光発光制御装置１０２全体の動作を制御する。ＣＰＵ１６は、Ａ／Ｄ変換器１２から出力される接続ノード１８の電圧値データに応じて、閃光発光制御装置１０２が閃光発光装置１０４を接続したか否かを検出する。
【００２５】
抵抗Ｒ１、Ｒ２は、Ｉ／Ｏポート１４の出力端子と接地線Ｖｓｓとの間に、接続ノード１８を介して直列に接続される。抵抗Ｒ１、Ｒ２の抵抗値は、例えば、１０ｋΩ、３３ｋΩにそれぞれ予め設計されている。
閃光発光装置１０４は、マイクロコンピュータ２４（第２の検出部）、抵抗Ｒ３（第３の抵抗）、抵抗Ｒ４（第４の抵抗）、図示しない放電回路及び昇圧回路等を有している。マイクロコンピュータ２４は、Ａ／Ｄ変換器２６（第２のＡ／Ｄ変換器）、Ｉ／Ｏポート２８（第２の出力ポート）、ＣＰＵ３０、図示しないＲＯＭ及びＲＡＭ等を有している。
【００２６】
Ａ／Ｄ変換器２６は、閃光発光装置１０４に閃光発光制御装置１０２が接続されたか否かを検出するために、接続ノード３２に接続される。Ａ／Ｄ変換器２６は、接続ノード３２の電圧値をＡ／Ｄ変換し、Ａ／Ｄ変換した電圧値データをＣＰＵ３０に出力する。
Ｉ／Ｏポート２８は、ＣＰＵ３０によって制御され、閃光発光装置１０４に閃光発光制御装置１０２が接続されたか否かを検出する時だけ、上述した電源電圧Ｖcc１と等しい電源電圧Ｖcc２（例えば、５.０Ｖ）を、抵抗Ｒ３の一端に出力する。電源電圧Ｖcc２は、電源電圧Ｖcc１と同じであるため、互いに異なる電源電圧が抵抗Ｒ１の一方の端子及び抵抗Ｒ３の一方の端子にそれぞれ設定される場合に比べて、簡単な計算式で接続ノード１８、３２の電圧値を求めることができる。
【００２７】
Ｉ／Ｏポート２８は、閃光発光装置１０４が閃光発光制御装置１０２の接続の有無を検出しない時には、抵抗Ｒ３の一端をフローティング状態(Ｈiz)にするために、抵抗Ｒ３の一端への電源電圧Ｖcc２の出力を停止する。
ＣＰＵ３０は、ＲＯＭに格納されたプログラムを実行することによって、マイクロコンピュータ２４内のＡ／Ｄ変換器２６やＩ／Ｏポート２８等の各周辺回路及び閃光発光装置１０４全体の動作を制御する。ＣＰＵ３０は、Ａ／Ｄ変換器２６から出力される接続ノード３２の電圧値データに応じて、閃光発光装置１０４が閃光発光制御装置１０２を接続したか否かを検出する。
【００２８】
抵抗Ｒ３、Ｒ４は、Ｉ／Ｏポート２８の出力端子と接地線Ｖｓｓの間に、接続ノード３２を介して直列に接続される。Ｒ３、Ｒ４の抵抗値は、例えば、３３ｋΩ、１０ｋΩにそれぞれ予め設計されている。
ケーブル１０６は、通信線３８（接続線）、接地線４０及び通信線４２を含んでいる。通信線３８は、接続ノード１８に接続された接続用端子２０（第１接続ノード）と、接続点３２に接続された接続用端子３４（第２接続ノード）とを互いに接続する。
【００２９】
接地線４０は、接地端子に接続されたＶｓｓ端子２２、３６を互いに接続する。通信線４２は、カメラ本体１０８からストロボ制御装置１０２で受けた制御情報を閃光発光装置１０４に送信するために、閃光発光制御装置１０２と閃光発光装置１０４とを互いに接続する。
図３は、接続検出装置１００の動作と接続ノード１８、３２の各電圧値及び各分圧比との関係を示している。接続検出装置１００は、６つの動作状態１〜６を有している。更に接続検出装置１００の動作状態は、閃光発光制御装置１０２に閃光発光装置１０４が接続されたか否かを検出する状態（状態１〜３）と、閃光発光装置１０４に閃光発光制御装置１０２が接続されたか否かを検出する状態（状態４〜６）の２つのグループに分けられる。
【００３０】
まず、閃光発光制御装置１０２に閃光発光装置１０４が接続されたか否かを検出する状態１〜３について説明する。状態１は、ケーブル１０６を介して閃光発光制御装置１０２に閃光発光装置１０４が接続されず、かつ、閃光発光制御装置１０２のＩ／Ｏポート１４は電源電圧Ｖcc１を抵抗Ｒ１の一端に出力している状態（ＯＮ状態）を示している。状態１では、接続ノード１８の電圧値Ｖ１は、以下の式（１）から容易に算出される。
【００３１】
Ｖ１＝Ｖcc１×Ｒ２／（Ｒ１＋Ｒ２）・・・式（１）
接続ノード１８の電圧値Ｖ１は、式（１）より３.８４Ｖになる。この時の接続ノード１８の分圧比（Ｖ１/Ｖcc１）は、０.７６７である。
状態２は、ケーブル１０６を介して閃光発光制御装置１０２に閃光発光装置１０４が接続され、かつ、閃光発光制御装置１０２のＩ／Ｏポート１４は電源電圧Ｖcc１を抵抗Ｒ１の一端に出力している状態（ＯＮ状態）を示している。また、状態２では、閃光発光装置１０４のＩ／Ｏポート２８は、抵抗Ｒ３の一端をフローティング状態にするために抵抗Ｒ３の一端への電源電圧Ｖcc２の出力を停止している。状態２では、抵抗Ｒ３、Ｒ４に電流が流れないため、抵抗Ｒ３、Ｒ４で消費される電力を０にできる。よって、接続検出装置１００で消費される電力を小さくできる。状態２では、接続ノード１８の電圧値Ｖ１は、以下の式（２）から容易に算出される。式（２）中の「‖」は並列抵抗を示している。
【００３２】
Ｖ１＝Ｖcc１×（Ｒ２‖Ｒ４）／｛Ｒ１＋（Ｒ２‖Ｒ４）｝・・・式（２）
接続ノード１８の電圧値Ｖ１は、式（２）より２.１７Ｖになる。この時の接続ノード１８の分圧比（Ｖ１/Ｖcc１）は、０．４３４である。
状態３は、ケーブル１０６を介して閃光発光制御装置１０２に閃光発光装置１０４が接続され、かつ、閃光発光制御装置１０２のＩ／Ｏポート１４が電源電圧Ｖcc１を抵抗Ｒ１の一端に出力している状態（ＯＮ状態）を示している。また、状態３では、閃光発光装置１０４のＩ／Ｏポート２８は電源電圧Ｖcc２を抵抗Ｒ３の一端に出力する。状態３では、接続ノード１８の電圧値Ｖ１は、以下の式（３）から容易に算出される。式（３）中の「‖」は並列抵抗を示している。
【００３３】
Ｖ１＝Ｖcc１×（Ｒ２‖Ｒ４）／｛（Ｒ１‖Ｒ３）＋（Ｒ２‖Ｒ４）｝・・・式（３）
接続ノード１８の電圧値Ｖ１は、式（３）より２.５０Ｖになる。この時の接続ノード１８の分圧比（Ｖ１/Ｖcc１）は、０．５０である。
以上の状態１〜３の各分圧比に基づいて、接続検出装置１００の動作状態１〜３を検出するための閾値ＶＴ１、ＶＴ２は、例えば、Ｖcc１の５５〜７０％、Ｖcc１の４５〜４９％にそれぞれ設定される。閃光発光制御装置１０２のＣＰＵ１６は、接続ノード１８の電圧値Ｖ１が閾値ＶＴ１を超える時、接続検出装置１００の動作状態が状態１であることを検出する。一方、閃光発光制御装置１０２のＣＰＵ１６は、接続ノード１８の電圧値Ｖ１が閾値ＶＴ１以下で、かつ、閾値ＶＴ２を超える時、接続検出装置１００の動作状態が状態３であることを検出する。一方、閃光発光制御装置１０２のＣＰＵ１６は、接続ノード１８の電圧値Ｖ１が閾値ＶＴ２以下の時、接続検出装置１００の動作状態が状態２であることを検出する。
【００３４】
次に、閃光発光装置１０４が閃光発光制御装置１０２の接続の有無を検出する状態４〜６について説明する。状態４は、ケーブル１０６を介して閃光発光装置１０４に閃光発光
制御装置１０２が接続されず、かつ、閃光発光装置１０４のＩ／Ｏポート２８が電源電圧Ｖcc２を抵抗Ｒ３の一端に出力している状態（ＯＮ状態）を示す。状態４では、接続ノード３２の電圧値Ｖ２は、以下の式（４）から容易に算出される。
【００３５】
Ｖ２＝Ｖcc２×Ｒ４／（Ｒ３＋Ｒ４）・・・式（４）
接続ノード３２の電圧値Ｖ２は、式（４）より１.１６Ｖになる。この時の接続ノード３２の分圧比（Ｖ２/Ｖcc２）は、０．２３３になる。
状態５は、ケーブル１０６を介して閃光発光装置１０４に閃光発光制御装置１０２が接続され、かつ、閃光発光装置１０４のＩ／Ｏポート２８が電源電圧Ｖcc２を抵抗Ｒ３の一端に出力している状態（ＯＮ状態）を示す。また、状態５では、閃光発光制御装置１０２のＩ／Ｏポート１４が抵抗Ｒ１の一端をフローティング状態にするために、電源電圧Ｖcc１を抵抗Ｒ１の一端への電源電圧Ｖcc１の出力を停止している。状態５では、抵抗Ｒ１、Ｒ２に電流が流れないため、抵抗Ｒ１、Ｒ２で消費される電力を０にできる。よって、接続検出装置１００で消費される電力を小さくできる。状態５では、接続ノード３２の電圧値Ｖ２は、以下の式（５）から容易に算出される。式（５）中の「‖」は並列抵抗を示している。
【００３６】
Ｖ２＝Ｖcc２×（Ｒ２‖Ｒ４）／｛Ｒ３＋（Ｒ２‖Ｒ４）｝・・・式（５）
接続ノード３２の電圧値Ｖ２は、０．９４Ｖになる。この時の接続ノード３２の分圧比（Ｖ２/Ｖcc２）は、０．１８９になる。
状態６は、ケーブル１０６を介して閃光発光装置１０４に閃光発光制御装置１０２が接続され、かつ、閃光発光装置１０４のＩ／Ｏポート２８が電源電圧Ｖcc２を抵抗Ｒ３の一端に出力している状態（ＯＮ状態）を示す。また、状態６では、閃光発光制御装置１０２のＩ／Ｏポート１４が電源電圧Ｖcc１を抵抗Ｒ１の一端に出力する。状態６では、接続ノード３２の電圧値Ｖ２は、以下の式（６）から容易に算出される。式（６）中の「‖」は並列抵抗を示している。
【００３７】
Ｖ２＝Ｖcc２×（Ｒ２‖Ｒ４）／｛（Ｒ１‖Ｒ３）＋（Ｒ２‖Ｒ４）｝・・・（６）    接続ノード３２の電圧値Ｖ２は、２.５０Ｖになる。この時の接続ノード３２の分圧比は、０．５となる。
以上の状態４〜６の各分圧比に基づいて、接続検出装置１００の動作状態４〜６を検出するための閾値ＶＴ３、ＶＴ４は、例えば、Ｖcc２の２５〜４５％、Ｖcc２の２０〜２２％にそれぞれ設定される。閃光発光装置１０４のＣＰＵ３０は、接続ノード３２の電圧値Ｖ２が閾値ＶＴ３を超える時、接続検出装置１００の動作状態が状態６であることを検出する。一方、閃光発光装置１０４のＣＰＵ３０は、接続ノード３２の電圧値Ｖ２が閾値ＶＴ３以下で、かつ、閾値ＶＴ４を超える時、接続検出装置１００の動作状態が状態４であることを検出する。一方、閃光発光装置１０４のＣＰＵ３０は、接続ノード３２の電圧値Ｖ２が閾値ＶＴ４以下の時、接続検出装置１００の動作状態が状態５であることを検出する。
【００３８】
上述のように、閃光発光制御装置１０２のＣＰＵ１６は、通信線３８を介して閃光発光装置１０４に接続された接続ノード１８の電圧値の変化に応じて、閃光発光制御装置１０２に閃光発光装置１０４が接続されたか否かを検出する。一方、閃光発光装置１０４のＣＰＵ３０は、通信線３８を介して閃光発光制御装置１０２に接続された接続ノード３２の電圧値の変化に応じて、閃光発光装置１０４に閃光発光制御装置１０２が接続されたか否かを検出する。すなわち、閃光発光制御装置１０２及び閃光発光装置１０４に配線される一本の信号線３８のみを用いて、閃光発光制御装置１０２及び閃光発光装置１０４の双方において、閃光発光制御装置１０２及び閃光発光装置１０４の接続を検出できる。
【００３９】
Ｉ/Ｏポート１４、２８は、抵抗Ｒ１の一方の端子及び抵抗Ｒ３の一方の端子に互いに等しい電源電圧Ｖcc１、Ｖcc２をそれぞれ設定するため、互いに異なる電圧値の電圧が抵抗Ｒ１の一方の端子及び抵抗Ｒ３の一方の端子にそれぞれ設定される場合に比べて、簡単な計算式で接続ノード１８、３２の電圧値を求めることができる。
図４は、本発明の接続検出装置１００の比較例を示している。接続検出装置３８は、閃光発光制御装置ＤＥＴ１、閃光発光装置ＤＥＴ２及びケーブル４４を有している。閃光発光制御装置ＤＥＴ１は、検出部４６を有している。検出部４６は、ケーブル４４を接続するための接続端子５０の電圧値に応じて、閃光発光制御装置ＤＥＴ１に閃光発光装置ＤＥＴ２が接続されたか否かを検出する。
【００４０】
閃光発光装置ＤＥＴ２は、検出部５４を有している。検出部５４は、上述した検出部４６と同様に、ケーブル４４を接続するための接続端子５６の電圧値に応じて、閃光発光装置ＤＥＴ２に閃光発光制御装置ＤＥＴ１が接続されたか否かを検出する。
ケーブル４４は、通信線６２、６４及び接地線６６を含んでいる。通信線６２は、接続ノード４８、５６に接続され、閃光発光装置ＤＥＴ２に閃光発光制御装置ＤＥＴ２が接続されたことを検出するために用いられる。通信線６４は、接続端子５０、５８に接続され、閃光発光制御装置ＤＥＴ１に閃光発光装置ＤＥＴ２が接続されたことを検出するために用いられる。接地線６６は、接地線Ｖｓｓに接続された接地端子５２、６０を接続するために用いられる。
【００４１】
接続検出装置３８の動作について説明する。閃光発光制御装置ＤＥＴ１では、接続端子５０の電圧値は、プルアップ抵抗により電源電圧Ｖｃｃに常時設定される。このため、閃光発光制御装置ＤＥＴ１に閃光発光装置ＤＥＴ２がケーブル４４を介して接続されない時、検出部４６は接続端子５０の電圧値として電源電圧Ｖｃｃを検出する。一方、閃光発光制御装置４０に閃光発光装置４２がケーブル４４を介して接続された時、接続端子５０は信号線６４を介して接地線Ｖｓｓに接続されるため、検出部４６は接続端子５０の電圧値として接地電圧０Ｖを検出する。以上のように、検出部４６は、接続端子５０の電圧値の変化に応じて、閃光発光制御装置ＤＥＴ１に閃光発光装置ＤＥＴ２が接続されたか否かを検出する。
【００４２】
閃光発光装置ＤＥＴ２では、上述した閃光発光制御装置ＤＥＴ１の検出動作と同様に、検出部５４が接続端子５６の電圧値として、電源電圧Ｖｃｃ、あるいは、接地電圧０Ｖを検出する。検出部５６は、接続端子５０の電圧値の変化に応じて、閃光発光装置ＤＥＴ２に閃光発光制御装置ＤＥＴ１が接続されたか否かを検出する。
上述した接続検出装置３８では、検出部４６、５４は、閃光発光制御装置ＤＥＴ１及び閃光発光装置ＤＥＴ２の接続を互いに検出するために、別々の通信線６４、６２をそれぞれ必要とする。このため、閃光発光制御装置ＤＥＴ１及び閃光発光装置ＤＥＴ２の接続を検出するための機構が複雑化する。この結果、接続検出装置３８を製造するための製造工数及び部品点数が増大するため、製造コストが増大するという問題があった。
【００４３】
以上、本実施形態では、閃光発光制御装置１０２及び閃光発光装置１０４の接続を検出するための機構を簡素化できる。接続検出装置１００を製造するための製造工数及び部品点数を削減できるため、接続検出装置１００の製造コストを削減できる。
閃光発光制御装置１０２に閃光発光装置１０４が接続されたか否かが検出されない時、Ｉ/Ｏポート１４（又はＩ/Ｏポート２８）が抵抗Ｒ１（又は抵抗Ｒ３）の一端をフローティング状態にすることで、抵抗Ｒ１、Ｒ２（又は抵抗Ｒ３、Ｒ４）で消費される電力を０にできる。よって、接続検出装置１００で消費される電力を削減できる。
【００４４】
閃光発光制御装置１０２のＡ／Ｄ変換器１２、閃光発光装置１０４のＡ／Ｄ変換器２６は、マイクロコンピュータ１０、２４にそれぞれ内蔵される。このため、Ａ／Ｄ変換器１２、２６を独立に設ける必要がない。よって、接続検出装置１００を簡易に構成できるため、接続検出装置１００の製造コストを削減できる。
図５は、本発明の接続検出装置の第２の実施形態を示している。第１の実施形態で説明した要素と同一の要素については、同じ符号を付し、詳細な説明を省略する。この実施形態では、ＣＰＵ１６が実行するためのＲＯＭに格納されているプログラム及び、ＣＰＵ３０が実行するためのＲＯＭに格納されているプログラムが、接続検出装置の第１の実施形態と相違する。また、閃光発光装置２０４は、第１の実施形態の抵抗Ｒ３、Ｒ４の代わりに、抵抗Ｒ３、Ｒ４と抵抗値の異なる抵抗Ｒ５、Ｒ６を有している。その他の構成は、第１の実施形態と同じである。接続検出装置２００は、図１に示すデジタルカメラシステムのカメラ本体１０８に取り付けられる閃光発光制御装置２０２（第１の機器）、閃光発光装置２０４（第２の機器）、閃光発光制御装置２０２と閃光発光装置２０４とを互いに接続するケーブル１０６を有している。
【００４５】
閃光発光制御装置２０２は、マイクロコンピュータ１０（第１の検出部）、抵抗Ｒ１（第１の抵抗）、抵抗Ｒ２（第２の抵抗）及び図示しない液晶パネル用照明回路等を有している。閃光発光装置２０４は、マイクロコンピュータ２４（第２の検出部）、抵抗Ｒ５（第３の抵抗）、抵抗Ｒ６（第４の抵抗）、図示しない放電回路及び昇圧回路等を有している。抵抗Ｒ５、Ｒ６は、Ｉ／Ｏポート２８の出力端子と接地線Ｖｓｓの間に、接続ノード３２を介して直列に接続される。Ｒ５、Ｒ６の抵抗値は、例えば、５６ｋΩ、２７ｋΩにそれぞれ予め設計されている。
【００４６】
図６は、接続検出装置２００の動作と接続ノード１８、３２の各電圧値及び各分圧比との関係を示している。接続検出装置２００は、第１の実施形態（図３）と同様に、６つの動作状態１〜６の計６パターンに分けられる。接続検出装置２００の動作状態は、閃光発光制御装置２０２に閃光発光装置２０４が接続されたか否かを検出する状態（状態１〜３）と、閃光発光装置２０４に閃光発光制御装置２０２が接続されたか否かを検出する状態（状態４〜６）の２つのグループに分けられる。
【００４７】
状態１〜３の接続ノード１８の分圧比（Ｖ１／Ｖｃｃ１）はそれぞれ、０．７６７、０．５９８、０．６３６になる。以上の状態１〜３の各分圧比に基づいて、接続検出装置２００の動作状態１〜３を検出するための閾値ＶＴ１、ＶＴ２は、例えば、Ｖcc１の６４〜７５％、Ｖcc１の６０〜６３％にそれぞれ設定される。閃光発光制御装置２０２のＣＰＵ１６は、接続ノード１８の電圧値Ｖ１が閾値ＶＴ１を超える時、接続検出装置２００の動作状態が状態１であることを検出する。一方、閃光発光制御装置２０２のＣＰＵ１６は、接続ノード１８の電圧値Ｖ１が閾値ＶＴ１以下で、かつ、閾値ＶＴ２を超える時、接続検出装置２００の動作状態が状態３であることを検出する。一方、閃光発光制御装置２０２のＣＰＵ１６は、接続ノード１８の電圧値Ｖ１が閾値ＶＴ２以下の時、接続検出装置２００の動作状態が状態２であることを検出する。
【００４８】
一方、状態４〜６の接続ノード３２の分圧比（Ｖ２／Ｖｃｃ２）はそれぞれ、０．３２５、０．２１０、０．６３６になる。以上の状態４〜６の各分圧比に基づいて、接続検出装置２００の動作状態４〜６を検出するための閾値ＶＴ３、ＶＴ４は、例えば、Ｖcc２の３３〜６２％、Ｖcc２の２２〜３１％に設定される。閃光発光装置２０４のＣＰＵ３０は、接続ノード３２の電圧値Ｖ２が閾値ＶＴ３を超える時、接続検出装置２００の動作状態が状態６であることを検出する。一方、閃光発光装置２０４のＣＰＵ３０は、接続ノード３２の電圧値Ｖ２が閾値ＶＴ３以下で、かつ、閾値ＶＴ４を超える時、接続検出装置２００の動作状態が状態４であることを検出する。一方、閃光発光装置２０４のＣＰＵ３０は、接続ノード３２の電圧値Ｖ２が閾値ＶＴ４以下の時、接続検出装置２００の動作状態が状態５であることを検出する。第１の実施形態（図３）の場合に比べて、閾値ＶＴ４として使用できる電圧値が約７％増加する。
【００４９】
以上、本実施形態では、第１の実施形態と同様な効果を得ることができる。更に、接続検出装置２００の状態４及び状態５を検出するための閾値ＶＴ４の設定自由度が増加する。
図７は、本発明の接続検出装置の第３の実施形態を示している。第１の実施形態で説明した要素と同一の要素については、同じ符号を付し、詳細な説明を省略する。この実施形態では、ＣＰＵ１６が実行するためのＲＯＭに格納されているプログラム及び、ＣＰＵ３０が実行するためのＲＯＭに格納されているプログラムが、接続検出装置の第１の実施形態と相違する。また、閃光発光制御装置３０２、閃光発光装置３０４は、第１の実施形態のＩ/Ｏポート１４、２８をそれぞれ使用せず、抵抗Ｒ１、Ｒ３の一端を、外部電源電圧Ｖcc１、Ｖcc２にそれぞれ直接接続している。その他の構成は、第１の実施形態と同じである。接続検出装置３００は、図１に示すデジタルカメラシステムのカメラ本体１０８に取り付けられる閃光発光制御装置３０２（第１の機器）、閃光発光装置３０４（第２の機器）と、閃光発光制御装置３０２と閃光発光装置３０４とを互いに接続するケーブル１０６を有している。
【００５０】
閃光発光制御装置３０２は、マイクロコンピュータ６８、抵抗Ｒ１（第１の抵抗）、抵抗Ｒ２（第２の抵抗）及び図示しない液晶パネル用照明回路等を有している。マイクロコンピュータ６８は、Ａ／Ｄ変換器１２（第１のＡ／Ｄ変換器）、ＣＰＵ１６（第１の検出部）及び図示しないＲＯＭ及びＲＡＭ等を有している。
閃光発光装置３０４は、マイクロコンピュータ７０、抵抗Ｒ３（第３の抵抗）、抵抗Ｒ４（第４の抵抗）及び図示しない放電回路及び昇圧回路等を有している。マイクロコンピュータ７０は、Ａ／Ｄ変換器２６（第２のＡ／Ｄ変換器）、ＣＰＵ３０、図示しないＲＯＭ及びＲＡＭ等を有している。
【００５１】
以上、本実施形態では、第１の実施形態と同様な効果を得ることができる。更に、抵抗Ｒ１、Ｒ３の一端を外部電源電圧Ｖcc１、Ｖcc２にそれぞれ直接接続することで、閃光発光制御装置３０２及び閃光発光装置３０４の接続を検出するための機構を簡素化できる。接続検出装置３００を製造するための製造工数及び部品点数を削減できるため、接続検出装置３００の製造コストを削減できる。
【００５２】
図８は、本発明の接続検出装置の第４の実施形態を示している。第１の実施形態で説明した要素と同一の要素については、同じ符号を付し、詳細な説明を省略する。この実施形態では、閃光発光制御装置４０は、第１の実施形態のマイクロコンピュータ１０（Ａ／Ｄ変換器１２及びＩ／Ｏポート１４）の代わりに、検出部７６及び電源供給部７２を有している。また、閃光発光装置４０４は、第１の実施形態のマイクロコンピュータ２４（Ａ／Ｄ変換器２６及びＩ／Ｏポート２８）の代わりに、検出部７８及び電源供給部７４を有している。その他の構成は、第１の実施形態と同じである。接続検出装置４００は、図１に示すデジタルカメラシステムのカメラ本体１０８に取り付けられる閃光発光制御装置４０２（第１の機器）、閃光発光装置４０４（第２の機器）と、閃光発光制御装置４０２と閃光発光装置４０４とを互いに接続するケーブル１０６を有している。
【００５３】
閃光発光制御装置４０２は、電源供給部７２（第１の電源供給部）、検出部７６（第１の検出部）、抵抗Ｒ１（第１の抵抗）、抵抗Ｒ２（第２の抵抗）及び図示しない液晶パネル用照明回路等を有している。
電源供給部７２は、抵抗Ｒ１の一端に接続される。電源供給部７２は、閃光発光制御装置４０２に閃光発光装置４０４が接続されたか否かを検出するために、抵抗Ｒ１の一端に外部電源電圧Ｖより低い電源電圧Ｖcc１（例えば、５．０Ｖ）を出力する。このため、外部電源電圧Ｖを抵抗Ｒ１の一端に供給する場合に比べて、抵抗Ｒ１と接地端子との間の電圧差を小さくできる。
【００５４】
検出部７６は、閃光発光制御装置４０２に閃光発光装置４０４が接続されたか否かを検出するために、接続ノード１８に接続される。検出部７６は、接続ノード１８の電圧値をアナログ量で受け取り、受け取ったアナログ量を予め設定された閾値ＶＴ１、２と比較する。この時、検出部７６は、比較した結果に基づいて、閃光発光制御装置４０２に閃光発光装置４０４が接続されたか否かを検出する。
【００５５】
閃光発光装置４０４は、電源供給部７４（第２の電源供給部）、検出部７８（第２の検出部）、抵抗Ｒ３（第３の抵抗）、抵抗Ｒ４（第４の抵抗）及び図示しない放電回路及び昇圧回路等を有している。
電源供給部７４は、抵抗Ｒ３の一端に接続される。電源供給部７４は、閃光発光装置４０４に閃光発光制御装置４０２が接続されたか否かを検出するために、抵抗Ｒ３の一端に外部電源電圧Ｖcc１に等しい電源電圧Ｖcc２（例えば、５．０Ｖ）を出力する。このため、外部電源電圧Ｖを抵抗Ｒ３の一端に供給する場合に比べて、抵抗Ｒ３と接地端子との間の電圧差を小さくできる。
【００５６】
検出部７８は、閃光発光装置４０４に閃光発光制御装置４０２が接続されたか否かを検出するために、接続ノード３２に接続される。検出部７８は、検出部７６と同様に、接続ノード３２の電圧値をアナログ量で受け取り、受け取ったアナログ量を予め設定された閾値ＶＴ３、４と比較する。この時、検出部７８は、比較した結果に基づいて、閃光発光装置４０４に閃光発光制御装置４０２が接続されたか否かを検出する。
【００５７】
図１０は、検出部７６、７８の詳細を示している。図１０（ａ）及び（ｂ）は検出部７６、７８の詳細をそれぞれ示している。検出部７６、７８には、比較器１、２及び比較器３、４がそれぞれ内蔵されている。
比較器１は、接続ノード１８の電圧値Ｖ１及び閾値ＶＴ１（例えば、電源電圧Ｖcc１の５５〜７０％）をアナログ量で入力する。比較器１は、入力されたアナログ量を相互に比較し、接続ノード１８の電圧値Ｖ１が閾値ＶＴ１を超える時にＨレベル信号を出力する。一方、比較器１は、接続ノード１８の電圧値Ｖ１が閾値ＶＴ１以下の時にＬレベル信号を出力する。
【００５８】
比較器２は、比較器１と同様に、接続ノード１８の電圧値Ｖ１及び閾値ＶＴ２（例えば、電源電圧Ｖcc１の４５〜４９％）をアナログ量で入力する。比較器２は、入力されたアナログ量を相互に比較し、接続ノード１８の電圧値Ｖ１が閾値ＶＴ２を超える時にＨレベル信号を出力する。一方、比較器２は、接続ノード１８の電圧値Ｖ１が閾値ＶＴ２以下の時にＬレベル信号を出力する。
【００５９】
第１の実施形態（図３の状態１〜３）と同様に、検出部７６は、比較器１、２がＨレベル信号、Ｈレベル信号をそれぞれ出力する時、閃光発光制御装置４０２に閃光発光装置４０４がケーブル１０６を介して接続されず、かつ、閃光発光制御装置４０２の電源供給部７２が抵抗Ｒ１の一端に電源電圧Ｖcc１を出力している状態を検出する。
一方、検出部７６は、比較器１、２がＬレベル信号、Ｈレベル信号をそれぞれ出力する時、閃光発光制御装置４０２に閃光発光装置４０４がケーブル１０６を介して接続され、閃光発光制御装置４０２の電源供給部７２が抵抗Ｒ１の一端に電源電圧Ｖcc１を出力し、かつ、閃光発光装置４０４の電源供給部７４が抵抗Ｒ３の一端に電源電圧Ｖcc２を出力している状態を検出する。
【００６０】
一方、検出部７６は、比較器１、２がＬレベル信号、Ｌレベル信号をそれぞれ出力する時、閃光発光制御装置４０２に閃光発光装置４０４がケーブル１０６を介して接続され、閃光発光制御装置４０２の電源供給部７２が抵抗Ｒ１の一端に電源電圧Ｖcc１を出力し、かつ、閃光発光装置４０４の電源供給部７４が抵抗Ｒ３の一端へ電源電圧Ｖcc２の出力を停止している状態を検出する。
【００６１】
比較器３は、接続ノード３２の電圧値Ｖ２及び閾値ＶＴ３（例えば、電源電圧Ｖcc２の２５〜４５％）をアナログ量で入力する。比較器３は、入力されたアナログ量を相互に比較し、接続ノード３２の電圧値Ｖ２が閾値ＶＴ３を超える時にＨレベル信号を出力する。一方、比較器３は、接続ノード３２の電圧値Ｖ２が閾値ＶＴ３以下の時にＬレベル信号を出力する。
【００６２】
比較器４は、比較器３と同様に、接続ノード３２の電圧値Ｖ２及び閾値ＶＴ４（例えば、電源電圧Ｖcc２の２０〜２２％）をアナログ量で入力する。比較器４は、入力されたアナログ量を相互に比較し、接続ノード３２の電圧値Ｖ２が閾値ＶＴ４を超える時にＨレベル信号を出力する。一方、比較器４は、接続ノード３２の電圧値Ｖ２が閾値ＶＴ４以下の時にＬレベル信号を出力する。
【００６３】
第１の実施形態（図３の状態４〜６）と同様に、検出部７８は、比較器３、４が共にＨレベル信号を出力する時、閃光発光装置４０４に閃光発光制御装置４０２がケーブル１０６を介して接続され、閃光発光制御装置４０２の電源供給部７２が抵抗Ｒ１の一端に電源電圧Ｖcc１を出力し、かつ、閃光発光装置４０４の電源供給部７４が抵抗Ｒ３の一端に電源電圧Ｖcc２を出力している状態を検出する。
【００６４】
一方、検出部７８は、比較器３、４がＬレベル信号、Ｈレベル信号をそれぞれ出力する時、閃光発光装置４０４に閃光発光制御装置４０２がケーブル１０６を介して接続されず、かつ、閃光発光装置４０４の電源供給部７４が抵抗Ｒ３の一端に電源電圧Ｖcc２を出力している状態を検出する。
一方、検出部７８は、比較器３、４がＬレベル信号、Ｌレベル信号をそれぞれ出力する時、閃光発光装置４０４に閃光発光制御装置４０２がケーブル１０６を介して接続され、閃光発光制御装置４０２の電源供給部７２が抵抗Ｒ１の一端へ電源電圧Ｖcc１の出力を停止し、かつ、閃光発光装置４０４の電源供給部７４が抵抗Ｒ３の一端に電源電圧Ｖcc２を出力している状態を検出する。
【００６５】
以上、本実施形態では、第１の実施形態と同様な効果を得ることができる。更に、外部電源電圧Ｖを抵抗Ｒ１（又は抵抗Ｒ３）の一端に供給する場合に比べて、抵抗Ｒ１、Ｒ２（又は抵抗Ｒ３、Ｒ４）で消費される電力を小さくできるため、接続検出装置４００で消費される電力を小さくできる。また、マイクロコンピュータ等のＬＳＩを使用しない小規模な装置においても、一本の信号線で、閃光発光制御装置４０２及び閃光発光装置４０４の双方において、閃光発光制御装置４０２と閃光発光装置４０４との接続が検出できる。
【００６６】
なお、上述した接続検出装置の第１実施形態では、閃光発光制御装置１０２及び閃光発光装置１０４が互いの接続の有無を検出しない時、Ｉ／Ｏポート１４、２８が抵抗Ｒ１の一端及び抵抗Ｒ３の一端をフローティング状態にする例について述べた。本発明はかかる実施形態に限定されるものではない。例えば、閃光発光制御装置１０２及び閃光発光装置１０４が互いの接続の有無を検出しない時、Ｉ／Ｏポート１４、２８が抵抗Ｒ１の一端及び抵抗Ｒ３の一端を接地電圧Ｖssに設定するものでも良い。この場合にも、閃光発光制御装置１０２及び閃光発光装置１０４の接続の有無が検出される時以外は、抵抗Ｒ１、Ｒ２、Ｒ３、Ｒ４に電流が流れないため、接続検出装置１００で消費される電力を０にできる。
【００６７】
同様に、上述した接続検出装置の第２実施形態では、閃光発光制御装置２０２及び閃光発光装置２０４が互いの接続の有無を検出しない時、Ｉ／Ｏポート１４、２８が抵抗Ｒ１の一端及び抵抗Ｒ５の一端をフローティング状態にする例について述べた。本発明はかかる実施形態に限定されるものではない。例えば、閃光発光制御装置２０２及び閃光発光装置２０４が互いの接続の有無を検出しない時、Ｉ／Ｏポート１４、２８が抵抗１の一端及び抵抗３の一端を接地電圧Ｖssに設定するものでも良い。この場合にも、閃光発光制御装置２０２及び閃光発光装置２０４の接続の有無が検出される時以外は、抵抗Ｒ１、Ｒ２、Ｒ３、Ｒ４に電流が流れないため、接続検出装置２００で消費される電力を０にできる。
【００６８】
上述した接続検出装置の第１〜４実施形態では、接続検出装置がカメラシステムに適用される例について述べた。本発明はかかる実施形態に限定されるものではない。例えば、連係して動作する２つの装置の接続を検出する接続検出装置に適用されるものでも良い。
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００６９】
本発明は、互いに連係して動作する２つの機器が互いに接続されたことを検出する接続検出装置に適用される。
【図面の簡単な説明】
【００７０】
【図１】本発明の接続検出装置の第１の実施形態を示している。
【図２】図１の接続検出装置１００の詳細を示している。
【図３】接続検出装置１００の動作と接続ノード１８、３２の各電圧値及び各分圧比との関係を示している。
【図４】本発明の接続検出装置１００の比較例を示している。
【図５】本発明の接続検出装置の第２の実施形態を示している。
【図６】接続検出装置２００の動作と接続ノード１８、３２の各電圧値及び各分圧比との関係を示している。
【図７】本発明の接続検出装置の第３の実施形態を示している。
【図８】本発明の接続検出装置の第４の実施形態を示している。
【図９】検出部７６、７８の詳細を示している。
【符号の説明】
【００７１】
１０、２４  マイクロコンピュータ
１２、２６  Ａ／Ｄ変換器
１４、２８  Ｉ／Ｏポート
１６、３０  ＣＰＵ
１８、３２  接続ノード
２０、２２、３４、３６、４８、５０、５２、５６、５８、６０  接続端子
３８、４２、６２、６４  通信線
４０、６６  接地線
４４、１０６  ケーブル
４６、５４、７６、７８  検出部
７２、７４  電源供給部
１００、２００、３００、４００  接続検出装置
１０２、２０２、３０２、４０２  閃光発光制御装置
１０４、２０４、３０４、４０４  閃光発光装置
１０８  カメラ本体
Ｒ１、Ｒ２、Ｒ３、Ｒ４、Ｒ５、Ｒ６  抵抗
【図１】
2006171627.tif 000003
【図２】
2006171627.tif 000004
【図３】
2006171627.tif 000005
【図４】
2006171627.tif 000006
【図５】
2006171627.tif 000007
【図６】
2006171627.tif 000008
【図７】
2006171627.tif 000009
【図８】
2006171627.tif 000010
【図９】
2006171627.tif 000011